(57)【要約】【課題】正確に温度を測定することができる温度センサユニットを提供する。【解決手段】位置決め部材５０は、センサケース１２と測定対象物７０とを挟持する、金属からなるクリップ部材２０と、センサケース１２と測定対象物７０とを挟持しているクリップ部材２０が収容される、樹脂からなるカバー部材３０と、を含む。クリップ部材２０は、互いに対向する第一及び第二付勢部と、第一付勢部と第二付勢部とを連結する連結部と、を有する。測定対象物７０とセンサケース１２とが互いに接している状態で、第一付勢部は、センサケース１２に接すると共にセンサケース１２を測定対象物７０に付勢し、第二付勢部は、測定対象物７０に接すると共にセンサケース１２に測定対象物７０を付勢する。【選択図】図１
2018189587.tif 000002
【特許請求の範囲】
【請求項１】
温度センサと、
前記温度センサが収容されているセンサケースと、
前記センサケースを測定対象物に位置決めする位置決め部材と、を備え、
前記位置決め部材は、
前記センサケースと前記測定対象物とを挟持する、金属からなるクリップ部材と、
前記センサケースと前記測定対象物とを挟持している前記クリップ部材が収容される、樹脂からなるカバー部材と、を含み、
前記クリップ部材は、互いに対向する第一及び第二付勢部と、前記第一付勢部と前記第二付勢部とを連結する連結部と、を有し、
前記測定対象物と前記センサケースとが互いに接している状態で、
前記第一付勢部は、前記センサケースに接すると共に前記センサケースを前記測定対象物に付勢し、
前記第二付勢部は、前記測定対象物に接すると共に前記センサケースに前記測定対象物を付勢する、温度センサユニット。
【請求項２】
前記位置決め部材は、前記センサケースと前記測定対象物とを挟持している前記クリップ部材が前記カバー部材に収容されている収容状態において、前記第一付勢部が前記センサケースを付勢する方向と直交する方向における前記測定対象物に対する前記センサケースの動きを規制する複数の規制部を有し、
前記クリップ部材と前記カバー部材とは、前記複数の規制部のうち、互いに異なる方向における前記測定対象物に対する前記センサケースの動きを規制する規制部を有している、請求項１に記載の温度センサユニット。
【請求項３】
前記クリップ部材は、前記第一付勢部と前記第二付勢部との間において前記連結部に対向する位置に、前記センサケースが挿入される第一挿入口を有し、
前記カバー部材は、前記第一挿入口に前記センサケースが挿入される方向と直交する方向から、前記センサケースと前記測定対象物とを挟持している前記クリップ部材が挿入される第二挿入口を有し、
前記複数の規制部は、
前記クリップ部材に配置されていると共に、前記収容状態において、前記第一挿入口に対向する位置において前記センサケースに接する第一規制部と、
前記カバー部材に配置されていると共に、前記収容状態において、前記センサケースを挟んで前記第一規制部と対向し、かつ、前記第一挿入口側から前記センサケースに接する第二規制部と、
前記カバー部材に配置されていると共に、前記収容状態において、前記第二挿入口に対向する位置において前記センサケースに接する第三規制部と、
前記クリップ部材に配置されていると共に、前記収容状態において、前記センサケースを挟んで前記第三規制部と対向し、かつ、前記第二挿入口側から前記センサケースに接する第四規制部と、
を含む、請求項２に記載の温度センサユニット。
【請求項４】
前記カバー部材は、前記第一付勢部が前記センサケースを付勢する方向と反対方向への前記第一付勢部の動きを規制する面と、前記第二付勢部が前記測定対象物を付勢する方向と反対方向への前記第二付勢部の動きを規制する面と、を有している、請求項１〜３のいずれか一項に記載の温度センサユニット。
【請求項５】
前記第一及び第二付勢部の少なくとも一方は、前記連結部に連結されている側に位置する基端部と、前記連結部に連結されている側とは反対側に位置する先端部と、前記基端部に連結されていると共に前記先端部側に延在している第一板バネ部と、前記先端部に連結されていると共に前記基端部側に延在している第二板バネ部と、を有している、請求項１〜４のいずれか一項に記載の温度センサユニット。
【発明の詳細な説明】
【技術分野】
【０００１】
本発明は、温度センサユニットに関する。
【背景技術】
【０００２】
温度センサと、温度センサが収容されているセンサケースと、センサケースを測定対象物に位置決めする位置決め部材と、を備えている温度センサユニットが知られている（たとえば、特許文献１）。
【先行技術文献】
【特許文献】
【０００３】
【特許文献１】特開２０１１−２５９５４９号公報
【発明の概要】
【発明が解決しようとする課題】
【０００４】
特許文献１に記載の温度センサユニットでは、センサケースが測定対象物に位置決めされている状態で、測定対象物とセンサケースが接触していない。このため、測定対象物の温度を正確に測定できないおそれがある。
【０００５】
本発明は、正確に温度を測定することができる温度センサユニットを提供することを目的とする。
【課題を解決するための手段】
【０００６】
本発明に係る温度センサユニットは、温度センサと、温度センサが収容されているセンサケースと、センサケースを測定対象物に位置決めする位置決め部材と、を備え、位置決め部材は、センサケースと測定対象物とを挟持する、金属からなるクリップ部材と、センサケースと測定対象物とを挟持しているクリップ部材が収容される、樹脂からなるカバー部材と、を含み、クリップ部材は、互いに対向する第一及び第二付勢部と、第一付勢部と第二付勢部とを連結する連結部と、を有し、測定対象物とセンサケースとが互いに接している状態で、第一付勢部は、センサケースに接すると共にセンサケースを測定対象物に付勢し、第二付勢部は、測定対象物に接すると共にセンサケースに測定対象物を付勢する。
【０００７】
本発明に係る温度センサユニットでは、測定対象物とセンサケースとが接している状態で、クリップ部材の第一及び第二付勢部によって、センサケース及び測定対象物が挟持される。この場合、センサケースが、測定対象物と接している状態で、測定対象物に位置決めされる。カバー部材は、樹脂からなり、センサケースと測定対象物とを挟持しているクリップ部材を収容する。このため、測定対象物の熱が温度センサに伝達される前に外部に放射されることが抑制される。したがって、測定対象物の温度が正確に測定される。
【０００８】
位置決め部材は、センサケースと測定対象物とを挟持しているクリップ部材がカバー部材に収容されている収容状態において、第一付勢部がセンサケースを付勢する方向と直交する方向における測定対象物に対するセンサケースの動きを規制する複数の規制部を有し、クリップ部材とカバー部材とは、複数の規制部のうち、互いに異なる方向における測定対象物に対するセンサケースの動きを規制する規制部を有してもよい。規制部によってセンサケースの動きが規制されるため、測定対象物に対するセンサケースの位置がずれ難い。したがって、温度センサによる温度測定位置が正確に定まるので、測定対象物の温度がより一層正確に測定される。クリップ部材とカバー部材とがそれぞれ規制部を有していると共に、クリップ部材の規制部とカバー部材の規制部とが互いに異なる方向においてセンサケースの動きを規制している。このため、センサケースの取り外しが容易な構成で、センサケースの位置ずれを抑制するのに適した位置に各規制部が配置され得る。したがって、センサケースの取り外しが容易な構造とセンサケースの位置ずれの抑制とが両立され得る。
【０００９】
クリップ部材は、第一付勢部と第二付勢部との間において連結部に対向する位置に、センサケースが挿入される第一挿入口を有し、カバー部材は、第一挿入口にセンサケースが挿入される方向と直交する方向から、センサケースと測定対象物とを挟持しているクリップ部材が挿入される第二挿入口を有し、複数の規制部は、クリップ部材に配置されていると共に、収容状態において、第一挿入口に対向する位置においてセンサケースに接する第一規制部と、カバー部材に配置されていると共に、収容状態において、センサケースを挟んで第一規制部と対向し、かつ、第一挿入口側からセンサケースに接する第二規制部と、カバー部材に配置されていると共に、収容状態において、第二挿入口に対向する位置においてセンサケースに接する第三規制部と、クリップ部材に配置されていると共に、収容状態において、センサケースを挟んで第三規制部と対向し、かつ、第二挿入口側からセンサケースに接する第四規制部と、を含んでもよい。この場合、第一から第四規制部によって、第一付勢部がセンサケースを付勢する方向に直交する四方向におけるセンサケースの動きが抑制されるため、センサケースの取り外しが容易な構造でありながら、センサケースの位置が一層ずれ難い。
【００１０】
カバー部材は、第一付勢部がセンサケースを付勢する方向と反対方向への第一付勢部の動きを規制する面と、第二付勢部が測定対象物を付勢する方向と反対方向への第二付勢部の動きを規制する面と、を有していてもよい。この場合、カバー部材によって第一付勢部と第二付勢部との間の広がりが規制されるため、センサケースがクリップ部材から離脱し難い。
【００１１】
第一及び第二付勢部の少なくとも一方は、連結部に連結されている側に位置する基端部と、連結部に連結されている側とは反対側に位置する先端部と、基端部に連結されていると共に先端部側に延在している第一板バネ部と、先端部に連結されていると共に基端部側に延在している第二板バネ部と、を有してもよい。この場合、異なる作用点を有する第一板バネ部と第二板バネ部とでセンサケースが付勢されるため、測定対象物に対するセンサケースの位置が一層ずれ難い。
【発明の効果】
【００１２】
本発明によれば、正確に温度を測定することができる温度センサユニットを提供することができる。
【図面の簡単な説明】
【００１３】
【図１】一実施形態に係る温度測定ユニットを示す斜視図である。
【図２】温度センサユニットの構成を説明するための図である。
【図３】温度センサユニットの斜視図である。
【図４】温度センサユニットの斜視図である。
【図５】クリップ部材の斜視図である。
【図６】クリップ部材の斜視図である。
【図７】カバー部材の斜視図である。
【図８】カバー部材の斜視図である。
【図９】カバー部材の斜視図である。
【図１０】温度測定ユニットの断面図である。
【図１１】温度測定ユニットの断面図である。
【図１２】クリップ部材の取り付け過程を説明するための図である。
【図１３】センサケースの取り付け過程を説明するための図である。
【図１４】カバー部材の取り付け過程を説明するための図である。
【発明を実施するための形態】
【００１４】
以下、添付図面を参照して、本発明の実施形態について詳細に説明する。なお、説明において、同一要素又は同一機能を有する要素には、同一符号を用いることとし、重複する説明は省略する。
【００１５】
まず、図１〜図１１を参照して、本実施形態に係る温度測定ユニットの構成について説明する。図１は、本実施形態に係る温度測定ユニットを示す概略斜視図である。
【００１６】
図１に示されていように、温度測定ユニット１は、温度センサユニット１０と、測定対象物７０とを備える。測定対象物７０は、温度センサユニット１０による温度測定対象である。すなわち、温度測定ユニット１では、温度センサユニット１０が測定対象物７０の温度を測定する。温度センサユニット１０は、温度センサ１１と、温度センサ１１が収容されているセンサケース１２と、測定対象物７０に取り付けられて、センサケース１２を測定対象物７０に対して位置決めする位置決め部材５０とを備えている。
【００１７】
測定対象物７０は、たとえば、他の電気回路（不図示）の一構成要素として機能する導電性部材である。測定対象物７０は、板状部７１を有している。板状部７１の長辺側の縁には、切り欠き部７２が形成されている。以下、測定対象物７０に対してセンサケース１２を位置決めしている状態において、板状部７１の長手方向が位置する方向をＸ軸方向とし、板状部７１の幅方向が位置する方向をＹ軸方向とし、板状部７１の厚み方向が位置する方向をＺ軸方向とする。
【００１８】
図２に示されているように、温度センサ１１は、検知部１１ａ、検知部１１ａに設けられている２つの電極（図示省略）にそれぞれ接続されている導線１１ｂ，１１ｃ、及び導線１１ｂ，１１ｃにそれぞれ電気的に接続されているリード線１１ｄ，１１ｅを有している。検知部１１ａには、たとえば、温度が高くなると抵抗が低くなる特性を有する、ＮＴＣ（Negative  Temperature  Coefficient）サーミスタ素子が用いられる。
【００１９】
図３及び図４に示されているように、センサケース１２は、直方体の有底筒状である。本実施形態において、直方体には、角部及び稜線部が面取りされている直方体の形状、及び、角部及び稜線部が丸められている直方体の形状が含まれる。センサケース１２は、長手方向の一端に底部１２ａを有し、他端に開口部１２ｂを有している。
【００２０】
センサケース１２には、開口部１２ｂに直交すると共に互いに対向する主面１２ｃ，１２ｄ、及び互いに対向する側面１２ｅ，１２ｆが配置されている。主面１２ｃは、位置決め部材５０によって測定対象物７０に対してセンサケース１２が位置決めされている状態において、位置決め部材５０に接する。主面１２ｄは、位置決め部材５０によって測定対象物７０に対してセンサケース１２が位置決めされている状態において、測定対象物７０に接する。
【００２１】
センサケース１２は、開口部１２ｂから温度センサ１１が挿入された状態で、樹脂が充填された樹脂部１３を有している。温度センサ１１の検知部１１ａは、硬化した樹脂によって、センサケース１２の底部１２ａ付近で位置決めされている。検知部１１ａに電気的に接続されているリード線１１ｄ，１１ｅは、開口部１２ｂからセンサケース１２の外部に延在している。センサケース１２は、たとえば、熱可塑性樹脂から構成される。樹脂部１３は、たとえばエポキシ樹脂などの熱硬化性樹脂からなる。
【００２２】
位置決め部材５０は、金属からなるクリップ部材２０と、樹脂からなるカバー部材３０と、を含む。クリップ部材２０は、センサケース１２と測定対象物７０とが互いに接している状態で、センサケース１２と測定対象物７０とを挟持する。カバー部材３０には、センサケース１２と測定対象物７０とを挟持しているクリップ部材２０が収容される。クリップ部材２０の材料である金属には、ばね用リン青銅、又は、ばね用ステンレス鋼などが用いられる。カバー部材３０の材料である樹脂には、ＰＡ（ポリアミド）、ＰＰＳ（ポリフェニレンサルファイド）、ＰＢＴ（ポリブチレンテレフタレート）などが用いられる。
【００２３】
図５及び図６に示されているように、クリップ部材２０は、センサケース１２に−Ｚ軸方向への付勢力を与える付勢部２１と、測定対象物７０に＋Ｚ軸方向への付勢力を与える付勢部２２と、Ｘ軸方向に延在していると共に付勢部２１と付勢部２２とを連結している連結部２３とを有している。付勢部２１及び付勢部２２の各々は、ＸＹ軸方向に延在している矩形形状を呈している、板バネを構成する突片である。付勢部２１と付勢部２２とは、Ｚ軸方向において互いに対向している。
【００２４】
付勢部２１及び付勢部２２は、それぞれ、連結部２３と連結されている側に位置する基端部２１ａ，２２ａと、連結部２３に連結されている側とは反対側に位置する先端部２１ｂ，２２ｂとを有している。クリップ部材２０は、先端部２１ｂと先端部２２ｂとの間において連結部２３に対向する位置にセンサケース１２が挿入される挿入口２４を有しており、付勢部２１，２２及び連結部２３に直交する方向に開口２５を有している。
【００２５】
図１０及び図１１に示されているように、測定対象物７０とセンサケース１２とが互いに接している状態で、付勢部２１は、センサケース１２の主面１２ｃに接すると共にセンサケース１２を測定対象物７０に付勢する。測定対象物７０とセンサケース１２とが互いに接している状態で、付勢部２２は、測定対象物７０に接すると共にセンサケース１２の主面１２ｄに測定対象物７０を付勢する。センサケース１２と測定対象物７０とを挟持しているクリップ部材２０がカバー部材３０に収容されている収容状態（以下、単に収容状態という）において、クリップ部材２０に挟持された温度センサ１１のリード線１１ｄ，１１ｅは、開口２５からクリップ部材２０の外部に延在している。収容状態において、クリップ部材２０の挿入口２４は＋Ｙ軸方向に位置し、クリップ部材２０の開口２５は＋Ｘ軸方向に位置する。
【００２６】
付勢部２１は、基端部２１ａと先端部２１ｂとを連結する一対の第一板バネ部２１ｃと、第一板バネ部２１ｃの内側に位置する共に矩形形状である第二板バネ部２１ｄと、を有している。すなわち、第二板バネ部２１ｄは、基端部２１ａ、先端部２１ｂ、及び第一板バネ部２１ｃに囲われている。第二板バネ部２１ｄは、先端部２１ｂに連結されていると共に基端部２１ａ側に延在している。第二板バネ部２１ｄは、基端部２１ａ、第一板バネ部２１ｃ、及び連結部２３から離間している。
【００２７】
第二板バネ部２１ｄの縁には、−Ｚ軸方向において付勢部２２側に延在している突片部２１ｅが設けられている。突片部２１ｅは、収容状態において、付勢部２１がセンサケース１２を付勢する−Ｚ軸方向と直交する−Ｘ軸方向への測定対象物７０に対するセンサケース１２の動きを規制する規制面４１を有する。図１１に示されているように、突片部２１ｅの規制面４１には、収容状態において、センサケース１２の底部１２ａが＋Ｘ軸方向から接する。
【００２８】
付勢部２２は、基端部２２ａと先端部２２ｂとを連結する一対の第一板バネ部２２ｃと、第一板バネ部２２ｃの内側に位置する共に矩形形状である第二板バネ部２２ｄと、を有している。すなわち、第二板バネ部２２ｄは、基端部２２ａ、先端部２２ｂ、及び第一板バネ部２２ｃに囲われている。第二板バネ部２２ｄは、先端部２２ｂに連結されていると共に基端部２２ａ側に延在している。第二板バネ部２２ｄは、基端部２２ａ及び第一板バネ部２２ｃから離間している。
【００２９】
付勢部２１の先端部２１ｂは、第一板バネ部２１ｃと連結されている部分から、＋Ｚ軸方向、すなわち付勢部２２側とは反対側に傾斜している。付勢部２２の先端部２２ｂには、付勢部２２の縁を付勢部２１側に折り曲げることで段部２２ｅが形成されている。
【００３０】
連結部２３は、段形状を有しており、付勢部２２が延在する方向と平行な方向（ＸＹ軸方向）に延在している基部２３ａと、基部２３ａに連結されていると共に付勢部２２に直交する方向（Ｚ軸方向）に延在している第一連結部２３ｂ及び第二連結部２３ｃと、を含む。第一連結部２３ｂの一端は、付勢部２２の基端部２２ａに連結され、第一連結部２３ｂの他端は、基部２３ａの一端に連結されている。第二連結部２３ｃの一端は基部２３ａの他端に連結され、第二連結部２３ｃの他端は付勢部２１の基端部２１ａに連結されている。したがって、＋Ｚ軸方向から見て、付勢部２１は、基部２３ａの幅分だけ、付勢部２２の基端部２２ａ側から＋Ｙ軸方向にずれて位置している。
【００３１】
図１０に示されているように、収容状態では、基部２３ａと付勢部２２との間に、測定対象物７０が配置される。第二連結部２３ｃは、収容状態において、付勢部２１がセンサケース１２を付勢する−Ｚ軸方向と直交する−Ｙ軸方向への測定対象物７０に対するセンサケース１２の動きを規制する規制面４２を有している。第二連結部２３ｃの規制面４２には、収容状態において、センサケース１２の側面１２ｅが＋Ｙ軸方向から接する。
【００３２】
図７〜図９に示されているように、カバー部材３０は、クリップ部材２０及びセンサケース１２が収容される中空部Ｓを有している。カバー部材３０は、中空部Ｓにクリップ部材２０及びセンサケース１２が挿入される挿入口３３を有している。挿入口３３には、挿入口２４にセンサケース１２が挿入される方向（−Ｙ軸方向）と直交する方向（＋Ｘ軸方向）から、センサケース１２と測定対象物７０とを挟持しているクリップ部材２０が挿入される。収容状態において、クリップ部材２０の挿入口２４とカバー部材３０の挿入口３３とは、互いに直交する位置に配置される。したがって、挿入口３３は、−Ｘ軸方向に位置する。挿入口３３には、カバー部材３０の外側から内側に傾斜する傾斜面３３ａが形成されている。したがって、挿入口３３の開口面積は、カバー部材３０の内側から外側に向かって広がっている。
【００３３】
カバー部材３０は、中空部Ｓの内面に、Ｚ軸方向において、互いに対向する上面３１ａ及び下面３１ｂを有している。上面３１ａは、付勢部２１の先端部２１ｂと当接することで、付勢部２１がセンサケース１２を付勢する方向と反対方向（＋Ｚ軸方向）への付勢部２１の動きを規制する。下面３１ｂは、付勢部２２の先端部２２ｂと当接することで、付勢部２２が測定対象物７０を付勢する方向と反対方向（−Ｚ軸方向）への付勢部２２の動きを規制する。
【００３４】
カバー部材３０は、収納状態において、クリップ部材２０の基部２３ａ、第一連結部２３ｂ、及び第二連結部２３ｃの各々の外面に対向する対向面３１ｄ，３１ｅ，３１ｆを中空部Ｓの内面に有している。図１０に示されているように、収容状態において、対向面３１ｄと下面３１ｂとの間には、クリップ部材２０の基部２３ａ及び第一連結部２３ｂ、並びに、付勢部２２及び測定対象物７０の一部が位置する。
【００３５】
カバー部材３０は、対向面３１ｄと対向面３１ｅとの間、すなわち挿入口３３に直交する位置に、＋Ｙ軸方向に測定対象物７０が挿入される挿入口３４を有している。収容状態の位置決め部材５０において、挿入口３４は−Ｙ軸方向に位置する。挿入口３４にも、挿入口３３と同様に、カバー部材３０の外側から内側に傾斜する傾斜面３４ａが形成されている。したがって、挿入口３４の開口面積もまた、カバー部材３０の内側から外側に向かって広がっている。
【００３６】
カバー部材３０は、中空部Ｓの内面に、対向面３１ｅ，３１ｆに対向すると共に上面３１ａ，下面３１ｂに直交する側面３１ｃを有している。カバー部材３０は、側面３１ｃに沿って、挿入口３３側から＋Ｘ軸方向に延在している弾性部３７を有している。
【００３７】
弾性部３７は、基端側が側面３１ｃに連結されており、先端側は自由である。このため、弾性部３７の先端は、側面３１ｃに直交する方向（＋Ｙ軸方向）において弾性を有している。弾性部３７の先端には、カバー部材３０の内側に突出する突起部３７ａが設けられている。図１に示されているように、突起部３７ａは、測定対象物７０の切り欠き部７２と係合する。突起部３７ａと切り欠き部７２とが係合することによって、センサケース１２、クリップ部材２０、及び測定対象物７０に対する、カバー部材３０の＋Ｘ軸方向への移動が規制される。
【００３８】
カバー部材３０は、弾性部３７よりも上面３１ａ側において、側面３１ｃから中空部Ｓの内側に突出する突出部３６を有している。突出部３６は、上面３１ａに対向する対向面３６ａと、対向面３６ａに直角に連結している規制面４３とを有している。
【００３９】
図１０に示されているように、収容状態において、上面３１ａと対向面３６ａとの間には、付勢部２１が位置する。規制面４３は、収容状態において、付勢部２１がセンサケース１２を付勢する−Ｚ軸方向と直交する＋Ｙ軸方向への測定対象物７０に対するセンサケース１２の動きを規制する。図１０に示されているように、規制面４３には、収容状態において、センサケース１２の側面１２ｆが−Ｙ軸方向から接する。
【００４０】
カバー部材３０は、挿入口３３の位置と反対側において、上面３１ａの縁に連結されていると共に上面３１ａに垂直な壁部３５を有している。壁部３５には、開口３５ａが設けられている。図１１に示されているように、カバー部材３０に収容された温度センサ１１のリード線１１ｄ，１１ｅは、開口３５ａからカバー部材３０の外部に延在している。
【００４１】
壁部３５は、収容状態において、付勢部２１がセンサケース１２を付勢する−Ｚ軸方向と直交する＋Ｘ軸方向への測定対象物７０に対するセンサケース１２の動きを規制する規制面４４を有している。図１１に示されているように、規制面４４には、収容状態において、センサケース１２の開口部１２ｂの縁が−Ｘ軸方向から接する。対向面３６ａ及び規制面４３は、壁部３５の規制面４４と垂直に連結されている。規制面４４の一部は、規制面４３から開口３５ａ側に延在している。
【００４２】
次に、図１２〜図１４を参照して、測定対象物７０に対する、温度センサユニット１０の取り付け過程について説明する。
【００４３】
まず、クリップ部材２０の先端部２１ｂ，２２ｂの間、すなわちクリップ部材２０の挿入口２４に、測定対象物７０の切り欠き部７２が設けられている側の反対側における、板状部７１の縁を配置する。続いて、板状部７１に対して、切り欠き部７２が設けられている側の反対側からＡ方向（＋Ｙ軸方向）にクリップ部材２０を押し込み、基部２３ａと付勢部２２との間に測定対象物７０の板状部７１を挿入する。
【００４４】
測定対象物７０の縁がクリップ部材２０の第一連結部２３ｂまで挿入されると、測定対象物７０の切り欠き部７２にクリップ部材２０の段部２２ｅが係合する。これにより、段部２２ｅの縁が測定対象物７０の切り欠き部７２と当接することで、Ｘ軸方向及びＹ軸方向において測定対象物７０に対するクリップ部材２０の動きが規制される。
【００４５】
次に、温度センサ１１が収容されているセンサケース１２の側面１２ｅを第二連結部２３ｃに対向させて、クリップ部材２０の挿入口２４に配置する。続いて、測定対象物７０の切り欠き部７２側から、Ｂ方向（−Ｙ軸方向）にセンサケース１２を押し込み、測定対象物７０と付勢部２１との間にセンサケース１２を挿入する。センサケース１２の底部１２ａがクリップ部材２０の規制面４１に当接することで、−Ｘ軸方向への測定対象物７０に対するセンサケース１２の動きが規制される。センサケース１２の側面１２ｅが、クリップ部材２０の規制面４２に当接することで、−Ｙ軸方向への測定対象物７０に対するセンサケース１２の動きが規制される。
【００４６】
これにより、測定対象物７０とセンサケース１２とが互いに接している状態で、付勢部２１によってセンサケース１２が測定対象物７０に付勢され、付勢部２２によって測定対象物７０がセンサケース１２に付勢される。具体的には、付勢部２１の第一板バネ部２１ｃ及び第二板バネ部２１ｄがセンサケース１２を付勢し、付勢部２２の第一板バネ部２２ｃ及び第二板バネ部２２ｄが測定対象物７０を付勢する。第一板バネ部２１ｃと第二板バネ部２１ｄとは、互いに異なる位置でセンサケース１２の主面１２ｃに付勢力を与える。クリップ部材２０は、測定対象物７０と付勢部２１との間にセンサケース１２を挿脱可能である。
【００４７】
次に、カバー部材３０の挿入口３４に、切り欠き部７２が設けられている側の板状部７１の縁を配置する。続いて、カバー部材３０をＣ方向（−Ｙ軸方向）に押し込み、板状部７１をカバー部材３０の挿入口３４からカバー部材３０の内部に挿入する。続いて、カバー部材３０をＤ方向（−Ｘ軸方向）に移動することで、センサケース１２と測定対象物７０とを挟持しているクリップ部材２０を挿入口３３からカバー部材３０の内部に挿入する。
【００４８】
これにより、センサケース１２と測定対象物７０とを挟持しているクリップ部材２０が、カバー部材３０の内部に収容される。この際、カバー部材３０の突起部３７ａが、測定対象物７０の切り欠き部７２に係合し、＋Ｘ軸方向のカバー部材３０の動きが規制される。センサケース１２の側面１２ｆが規制面４３に当接することで、＋Ｙ軸方向への測定対象物７０に対するセンサケース１２の動きが規制される。センサケース１２の開口部１２ｂの縁及びクリップ部材２０が規制面４４に当接することで、＋Ｘ軸方向への測定対象物７０に対するセンサケース１２及びクリップ部材２０の動きが規制される。
【００４９】
以上説明したように、温度センサユニット１０では、測定対象物７０とセンサケース１２とが接している状態で、クリップ部材２０の付勢部２１，２２によって、センサケース１２及び測定対象物７０が挟持される。この場合、センサケース１２が、測定対象物７０と接している状態で、測定対象物７０に対して位置決めされる。カバー部材３０は、樹脂からなり、センサケース１２と測定対象物７０とを挟持しているクリップ部材２０を収容する。このため、測定対象物７０の熱が温度センサ１１に伝達される前に外部に放射されることが抑制される。したがって、測定対象物７０の温度が正確に測定される。
【００５０】
クリップ部材２０は、金属からなり、センサケース１２と測定対象物７０を挟持している。このため、測定対象物７０の熱がクリップ部材２０を介して温度センサ１１に伝達されやすい。したがって、測定対象物７０の温度が一層正確に測定される。
【００５１】
クリップ部材２０は、規制面４１を有する突片部２１ｅ、及び規制面４２を有する第二連結部２３ｃを有している。カバー部材３０は、規制面４３を有する突出部３６、及び規制面４４を有する壁部３５を有している。クリップ部材２０の規制面４１は、付勢部２１がセンサケース１２を付勢する−Ｚ軸方向と直交する−Ｘ軸方向への測定対象物７０に対するセンサケース１２の動きを規制する。クリップ部材２０の規制面４２は、−Ｚ軸方向と直交する−Ｙ軸方向への測定対象物７０に対するセンサケース１２の動きを規制する。カバー部材３０の規制面４３は、−Ｚ軸方向と直交する＋Ｙ軸方向への測定対象物７０に対するセンサケース１２の動きを規制する。カバー部材３０の規制面４４は、−Ｚ軸方向と直交する＋Ｘ軸方向への測定対象物７０に対するセンサケース１２の動きを規制する。
【００５２】
すなわち、位置決め部材５０は、収容状態において、付勢部２１がセンサケース１２を付勢する方向（−Ｚ軸方向）と直交する方向（ＸＹ軸方向）における、測定対象物７０に対するセンサケース１２の動きを規制する複数の規制面４１，４２，４３，４４を有している。このため、測定対象物７０に対するセンサケース１２の位置がずれ難い。したがって、温度センサ１１による温度測定位置が正確に定まるので、測定対象物７０の温度がより一層正確に測定される。
【００５３】
クリップ部材２０の規制面４１，４２とカバー部材３０の規制面４３，４４とが、互いに異なる方向においてセンサケース１２の動きを規制する。このため、センサケース１２の取り外しが容易な構成で、センサケース１２の位置ずれを抑制するのに適した位置に各規制面４１，４２，４３，４４が配置されている。したがって、センサケース１２の取り外しが容易な構造とセンサケース１２の位置ずれの抑制とが両立されている。
【００５４】
クリップ部材２０の挿入口２４は、収容状態において＋Ｙ軸方向に位置する。カバー部材３０の挿入口３３は、収容状態において−Ｘ軸方向に位置する。したがって、収容状態において、規制面４２は挿入口２４に対向する位置においてセンサケース１２に接し、規制面４３はセンサケース１２を挟んで規制面４２と対向し、かつ、挿入口２４側からセンサケース１２に接し、規制面４４は挿入口３３に対向する位置においてセンサケース１２に接し、規制面４１はセンサケース１２を挟んで規制面４４と対向し、かつ、挿入口３３側からセンサケース１２に接する。すなわち、クリップ部材２０の規制面４１，４２とカバー部材３０の規制面４３，４４とによって、付勢部２１がセンサケース１２を付勢する方向に直交する四方向におけるセンサケース１２の動きが抑制される。このため、センサケース１２の取り外しが容易な構造でありながら、センサケース１２の位置が一層ずれ難い。
【００５５】
カバー部材３０は、付勢部２１がセンサケース１２を付勢する方向と反対方向への付勢部２１の動きを規制する上面３１ａと、付勢部２２が測定対象物７０を付勢する方向と反対方向への付勢部２２の動きを規制する下面３１ｂと、を有している。したがって、カバー部材３０によって付勢部２１と付勢部２２との間の広がりが規制されるため、センサケース１２がクリップ部材２０から離脱し難い。
【００５６】
付勢部２１，２２は、基端部２１ａ，２２ａに連結されていると共に先端部２１ｂ，２２ｂ側に延在している第一板バネ部２１ｃ，２２ｃと、先端部２１ｂ，２２ｂに連結されていると共に基端部２１ａ，２２ａ側に延在している第二板バネ部２１ｄ，２２ｄと、を有している。付勢部２１，２２が板バネを構成しているため、付勢部２１，２２とセンサケース１２との接触面積が広い。したがって、測定対象物７０に対してクリップ部材２０がずれ難い。異なる作用点を有する第一板バネ部２１ｃ，２２ｃと第二板バネ部２１ｄ，２２ｄとでセンサケース１２が付勢されるため、測定対象物７０に対するセンサケース１２の位置が一層ずれ難い。
【００５７】
付勢部２１の先端部２１ｂは、第一板バネ部２１ｃと連結されている部分から、＋Ｚ軸方向において付勢部２２側とは反対側に傾斜している。このため、センサケース１２を挿入口２４へ挿入することが容易である。挿入口３３の開口面積は、カバー部材３０の内側から外側に向かって広がっている。このため、センサケース１２を挟持しているクリップ部材２０を挿入口３３へ挿入することが容易である。挿入口３４の開口面積もまた、カバー部材３０の内側から外側に向かって広がっている。このため、測定対象物７０を挿入口３４へ挿入することが容易である。
【００５８】
以上、本発明の実施形態について説明してきたが、本発明は必ずしも上述した実施形態に限定されるものではなく、その要旨を逸脱しない範囲で様々な変更が可能である。
【００５９】
たとえば、クリップ部材２０が規制面４１，４２を有し、カバー部材３０が規制面４３，４４を有することとしたが、クリップ部材２０が有する規制面とカバー部材３０が有する規制面によってセンサケース１２の移動が制限されていれば、この組み合わせに限定されない。
【００６０】
付勢力には、弾性体等が加える荷重の他、荷重を支える反力も含む。本実施形態では、付勢部２１，２２の双方が第一板バネ部２１ｃ，２２ｃ及び第二板バネ部２１ｄ，２２ｄによる弾性を有するが、付勢部２１と付勢部２２の一方が弾性を有さずに他方が加える荷重を支持する構成であってもよい。
【００６１】
直角、垂直、及び直交には、各部材の公差や製造誤差などを考慮して同視し得る範囲を含む。本実施形態では、規制面４１〜４４は面接触によってセンサケース１２の動きを規制する規制部であるが、点接触又は線接触によってセンサケース１２の動きを規制する規制部が用いられてもよい。
【００６２】
本実施形態では、測定対象物７０を他の電気回路（不図示）の一構成要素として機能する導電性部材と規定したが、これに限定されない。測定対象物７０は、熱伝達が良好である部材（たとえば、金属など）又は発熱が懸念される部材（たとえば、基板など）などであってもよい。
【符号の説明】
【００６３】
１０…温度センサユニット、１１…温度センサ、１２…センサケース、７０…測定対象物、５０…位置決め部材、２０…クリップ部材、２１，２２…付勢部、２１ａ，２２ａ…基端部、２１ｂ，２２ｂ…先端部、２１ｃ，２２ｃ…第一板バネ部、２１ｄ，２２ｄ…第二板バネ部、２３…連結部、３０…カバー部材、２４，３３…挿入口、３１ａ…上面、３１ｂ…下面、４１，４２，４３，４４…規制面。
【図１】
2018189587.tif 000003
【図２】
2018189587.tif 000004
【図３】
2018189587.tif 000005
【図４】
2018189587.tif 000006
【図５】
2018189587.tif 000007
【図６】
2018189587.tif 000008
【図７】
2018189587.tif 000009
【図８】
2018189587.tif 000010
【図９】
2018189587.tif 000011
【図１０】
2018189587.tif 000012
【図１１】
2018189587.tif 000013
【図１２】
2018189587.tif 000014
【図１３】
2018189587.tif 000015
【図１４】
2018189587.tif 000016